(57)【特許請求の範囲】
【請求項１】
伝送路を備える情報伝送システムに備えられ、前記伝送路を介してトラフィックを伝送するノード装置において、
前記ノード装置本体に対して挿抜可能に設けられ、自己を前記ノード装置本体に着脱するための可動可能な位置固定機構と、この位置固定機構がとる固定状態または固定解除状態の２つの状態に連動して少なくとも２つの状態をとるスイッチとを備え、互いに対応付けられる現用系および予備系とを備えて冗長化される複数の基板と、
前記基板を流れる前記トラフィックの経路を、与えられる制御コマンドに応じて対応する系側の基板に切り替える切替手段と、
前記スイッチの状態から各基板における前記位置固定機構の状態を認識し、当該位置固定機構が固定解除状態となった場合に前記制御コマンドを生成してこの制御コマンドを前記切替手段に与え、当該基板を流れる前記トラフィックの経路を対応する系側の基板に切り替えさせる切替制御信号生成手段とを具備することを特徴とするノード装置。
【請求項２】
前記基板は、前記スイッチの状態の変化に応じて少なくとも自己の識別情報を含む通知情報を前記切替制御信号生成手段に通知する通知手段を備え、
前記切替制御信号生成手段は、前記基板から通知された通知情報に基づいて前記制御コマンドを生成することを特徴とする請求項１に記載のノード装置。
【請求項３】
それぞれ前記複数の基板が実装される機能ブロックを複数備え、前記トラフィックが前記機能ブロックを複数段通過する場合に、
切替制御信号生成手段は、
抜去される基板が実装される機能ブロック内において当該抜去される基板を流れる前記トラフィックの経路を対応する系側の基板に切り替えるための切り替えコマンドと、
当該抜去される基板が実装される機能ブロック以外の機能ブロックにおける前記トラフィックの経路を固定するための固定コマンドとを生成することを特徴とする請求項１に記載のノード装置。
【請求項４】
前記切替制御信号生成手段は、前記基板が自装置に挿入された場合には、切り替えられたトラフィックの経路を当該基板に戻すための切り戻しコマンドを生成してこの切り戻しコマンドを前記切替手段に与え、前記トラフィックの経路を当該基板に切り戻させることを特徴とする請求項１に記載のノード装置。
【請求項５】
伝送路を備える情報伝送システムに備えられ前記伝送路を介してトラフィックを伝送するノード装置に対して挿抜可能に設けられ、自己を前記ノード装置本体に着脱するための可動可能な位置固定機構と、この位置固定機構がとる固定状態または固定解除状態の２つの状態に連動して少なくとも２つの状態をとるスイッチとを備え、互いに対応付けられる現用系および予備系とを備えて冗長化される基板を取扱うためのノード装置の基板取扱方法であって、
前記スイッチの状態から各基板における前記位置固定機構の状態を認識する第１ステップと、
この第１ステップにおける認識の結果、当該位置固定機構が固定解除状態となった場合に、前記基板を流れる前記トラフィックの経路を当該基板に対応する系側の基板に切り替える第２ステップとを具備することを特徴とするノード装置の基板取扱方法。
【請求項６】
前記基板が前記ノード装置に挿入された場合には、前記切り替えられたトラフィックの経路を当該基板に戻す第３ステップを具備することを特徴とする請求項５に記載のノード装置の基板取扱方法。
【発明の詳細な説明】
【０００１】
【発明の属する技術分野】
本発明は、挿抜可能な基板を備えて構成され、例えばＳＤＨ（Synchronous Digital Hierarchy）／ＳＯＮＥＴ（Synchronous Optical Network）などの規格に準拠するディジタル信号伝送システムにおいて用いられるノード装置と、このノード装置に挿抜可能に設けられる基板の取扱方法に関する。
【０００２】
【従来の技術】
周知のように、この種のノード装置は複数の基板を備えて構成され、各基板は０系（現用系）および１系（予備系）で区別される冗長構成となっている。基板はノード装置本体に対して挿抜可能に設けられ、故障した場合には取り換えられるようになっている。また運用保守などのため、基板を取り外してメンテナンス作業を行なうこともできる。
【０００３】
基板メンテナンスの際には、トラフィックの切断を避けるため、取り外される基板を流れるトラフィックを装置内部で予め他の基板に迂回させる必要がある。例えば０系高速側（ＨＳ：High Speed）インタフェース基板を取り外す場合、この基板に収容されるトラフィックを１系高速側インタフェース基板に迂回させた後、０系高速側インタフェース基板を取り外すという手順を踏まねばならない。すなわち基板メンテナンス時には、基板に収容されるトラフィックを迂回させ、次に基板を抜去して新しい基板を挿入し、その基板が正常に動作することを確認した後、迂回させていたトラフィックを戻すという作業が必要となる。
【０００４】
従来、基板メンテナンス時の作業手順は、ノード装置に接続される保守端末などを用いたオペレータのマニュアル操作に負うところが大きい。オペレータは、対象とする基板の識別（ＩＤ）情報、装置内切替制御の場所などを指定して保守端末からノード装置にコマンドを投入することにより、上記の手順を実施する。コマンドには、メンテナンス対象基板からトラフィックを迂回させるための切替コマンドや、メンテナンス対象基板の挿抜による非メンテナンス対象基板に対する誤動作を防止するための切替禁止コマンドなどがある。
【０００５】
ところで、近年のノード装置の構成は、ハンドリングすべき伝送容量の増加とも相俟って複雑化の一途を辿っており、これに伴って基板の数も膨大な量に及んでいる。オペレータは手順書などにしたがってコマンド投入作業を実施することになるが、装置規模の拡大から、作業時の負担が大きく、またミスを生じる虞も大きくなってきている。
【０００６】
基板メンテナンスの実施の際には、すでにネットワークが稼動中である場合が多く、誤った対象に対してコマンドを打ち込むなどの操作ミスを生じると、伝送中のトラフィックに重大な影響が及ぼされる虞がある。また、メンテナンス対象とする基板をとり間違え、別の基板を誤って抜去したような場合にもトラフィックに重大な影響が及ぶ虞があり、何らかの解決策が望まれている。
【０００７】
【発明が解決しようとする課題】
このように、従来のノード装置における基板メンテナンスにおいては、マニュアルによる手順が含まれ、また作業自体が煩雑であることからオペレータの操作ミスの可能性を否定できず、トラフィックに重大な影響が及ぶ虞がある。
本発明は上記事情によりなされたもので、その目的は、基板メンテナンスにおける作業手順を簡略化でき、これにより便宜を向上させるとともに作業ミスを防止し得るノード装置とその基板取扱方法を提供することにある。
【０００８】
【課題を解決するための手段】
上記目的を達成するために本発明は、伝送路を備える情報伝送システムに備えられ、前記伝送路を介してトラフィックを伝送するノード装置において、前記ノード装置本体に対して挿抜可能に設けられ、自己を前記ノード装置本体に着脱するための可動可能な位置固定機構と、この位置固定機構がとる固定状態または固定解除状態の２つの状態に連動して少なくとも２つの状態をとるスイッチとを備え、互いに対応付けられる現用系および予備系とを備えて冗長化される複数の基板と、前記基板を流れる前記トラフィックの経路を、与えられる制御コマンドに応じて対応する系側の基板に切り替える切替手段と、切替制御信号生成手段とを具備する。そして、切替制御信号生成手段により、前記スイッチの状態から各基板における前記位置固定機構の状態を認識し、当該位置固定機構が固定解除状態となった場合に前記制御コマンドを生成してこの制御コマンドを前記切替手段に与え、当該基板を流れる前記トラフィックの経路を対応する系側の基板に切り替えるようにしたことを特徴とする。
【０００９】
このような構成であるので、ある基板が抜去される際には例えばイジェクタなどの位置固定機構が動かされ、これに応じてスイッチの状態が例えばオンとなる。そうすると、このことをトリガとして切替制御信号生成手段が当該基板の状態を認識する。すなわちイジェクタが基板を抜去するために固定解除状態となるように動かされた場合には、その基板が抜去されようとする旨が切替制御信号生成手段において認識される。これを受けて、その基板を流れるトラフィックの経路を対応する系の基板に切り替えるための制御コマンドが切替制御信号生成手段により自動的に生成され、この制御コマンドが切替手段に与えられる。これにより、例えば現用系基板を流れるトラフィックの経路が、この基板がノード装置本体から抜去される前に予備系基板に切り替えられる。
【００１０】
すなわち本発明によれば、抜去される基板のスイッチがオン（或いはオフ）となったことをトリガとして、従来ではオペレータにより与えられていた制御コマンドが自動的に生成され、適切な制御対象に対して、基板の抜去前にこのコマンドが与えられる。従ってオペレータは、基板メンテナンス作業時に対象とする基板を指定してコマンドを打ち込むなどの操作を行なわずとも良くなり、作業手順は大幅に簡略化される。また、誤った基板が抜去された場合でも、事前にこの基板を流れるトラフィックが予備系あるいは現用系に迂回させられる。したがって作業ミスを防止し、トラフィックの切断などの虞を無くすることができる。
【００１１】
【発明の実施の形態】
以下、図面を参照して本発明の実施の形態を詳細に説明する。
図１は、本発明に係わるノード装置が設置されるディジタル信号伝送システムの構成を示す図である。本実施形態においてはＳＤＨに準拠する同期伝送システムを想定する。
【００１２】
このシステムは複数のノード装置（Ｎｏｄｅ：以下ノードと称する）＃Ａ〜＃Ｇと、これらのノードをリング状に接続するサービスラインＳＬおよびプロテクションラインＰＬを備える。プロテクションラインＰＬは、サービスラインＳＬの予備系である。各ノード＃Ａ〜＃Ｇには、例えば交換機や端局装置などの下位装置１０が接続される。
【００１３】
下位装置１０と各ノード＃Ａ〜＃Ｇとの間で授受される低次群信号は、例えばＳＤＨにおけるＳＴＭ（Synchronous Transport Module）−１，ＳＴＭ−４，ＳＴＭ−１６、あるいはＳＴＭ−６４レベルである。この低次群信号は各ノード＃Ａ〜＃Ｇにおいて多重化され、ＳＴＭ−６４などの高次群信号としてサービスラインＳＬおよびプロテクションラインＰＬに送出される。なお、各ノード＃Ａ〜＃Ｇにおける高次群信号の送出方向には時計回り（Clockwise：ＣＷ）方向と反時計回り方向（Counter Clockwise：ＣＣＷ）との２通りがある。ここでは便宜上、ノード＃ＡにおけるＣＷ方向をＥａｓｔ側、ＣＣＷ方向をＷｅｓｔ側と称する。
【００１４】
各ノード＃Ａ〜＃Ｇには、ネットワーク全体の監視処理、および制御処理を担う監視制御装置２００が接続される。なおシステム設計のニーズに応じて、監視制御装置２００の数は任意である。例えば、一つの監視制御装置２００によりシステム全体を統括的に監視・制御するようにしても良い。また各ノード＃Ａ〜＃Ｇは、それぞれ低次群ラインＺを介して下位装置群１０に接続される。
【００１５】
図２は、図１に示されるノード＃Ａの主要部構成を示す機能ブロック図である。なおノード＃Ｂ〜＃Ｇも同様の構成である。ノード＃Ａは、それぞれ基板として実装される高速（ＨＳ）インタフェース部と、装置内多重／分離（ＭＵＸ／ＤＭＵＸ）部と、低速（ＬＳ：Low Speed）インタフェース部との各機能ブロックを備える。
【００１６】
ＨＳインタフェース部は、０系高速インタフェース基板５０と１系高速インタフェース基板５１とを備えて冗長化される。０系高速インタフェース基板５０はサービスラインＳＬに接続され、１系高速インタフェース基板５１はプロテクションラインＰＬに接続される。
【００１７】
装置内多重／分離部は、０系多重／分離基板４０と１系多重／分離基板４１とを備えて冗長化される。ＬＳインタフェース部は複数の低速インタフェース基板を備え、各インタフェース基板は、それぞれ対をなして冗長化される０系低速インタフェース基板２０，１系低速インタフェース基板２１、…、０系低速インタフェース基板２ｎ−１，１系低速インタフェース基板２ｎを備える。
【００１８】
０系低速インタフェース基板２０，１系低速インタフェース基板２１、…、０系低速インタフェース基板２ｎ−１，１系低速インタフェース基板２ｎは、それぞれ低次群ラインＺを介して下位装置１１，１２，…，１ｎに接続される。下位装置１１，１２，…，１ｎは、下位装置群１０に属する交換機や端局装置などの装置である。
【００１９】
装置内部において、０系高速インタフェース基板５０と１系高速インタフェース基板５１、および、０系低速インタフェース基板２０，１系低速インタフェース基板２１、…、０系低速インタフェース基板２ｎ−１，１系低速インタフェース基板２ｎ、０系多重／分離基板４０、および、１系多重／分離基板４１は、いずれも図示しない切替スイッチなどを介して接続される。切替スイッチは、外部から与えられる制御コマンドに応じて、０系と１系との間の切替制御を行なう。
【００２０】
０系高速インタフェース基板５０と１系高速インタフェース基板５１、０系低速インタフェース基板２０，１系低速インタフェース基板２１、…、０系低速インタフェース基板２ｎ−１，１系低速インタフェース基板２ｎ、および、０系多重／分離基板４０と１系多重／分離基板４１は、いずれも制御バスＣＢを介して主制御部７に接続される。
【００２１】
また本実施形態では、０系低速インタフェース基板２０，１系低速インタフェース基板２１、…、０系低速インタフェース基板２ｎ−１，１系低速インタフェース基板２ｎから主制御部７にメッセージを与えるためのデータバスＤＢが備えられる。
【００２２】
ところで、主制御部７はＡＰＳ（Automatic Protection Switching）やパス設定制御などの既知の制御機能に加え、切替制御信号生成部７ａを備える。切替制御信号生成部７ａは、上記各基板から通知される情報をもとに、切替スイッチを制御するための制御コマンドを生成し、この制御コマンドを切替スイッチに与える。そうして、抜去されようとしている基板を流れるトラフィックの経路を、当該基板がノード＃Ａから抜去される前に、対応する系側の基板に切り替える。
【００２３】
なお切替制御信号生成部７ａは、主制御部７に備わる図示しないＣＰＵ（Central Processing Unit）のソフトウェア処理などにより実現される機能オブジェクトである。
【００２４】
上記構成において、初期状態では、ノード＃Ａ内部において０系高速インタフェース基板５０、０系多重／分離基板４０、および、０系低速インタフェース基板２０を経由する経路を介して、下位装置１１と対向ノードとの間でトラフィックが授受されるとする。
【００２５】
図３は、図２に示されるノード＃Ａに挿抜可能に設けられる基板の構成を概略的にブロック図である。すなわち、０系高速インタフェース基板５０、１系高速インタフェース基板５１、０系低速インタフェース基板２０，１系低速インタフェース基板２１、…、０系低速インタフェース基板２ｎ−１，１系低速インタフェース基板２ｎ、０系多重／分離基板４０、および、１系多重／分離基板４１は、本実施形態においていずれも図３に示される構成をとる。図３においては、０系低速インタフェース基板２０（以下基板２０と略称する）を代表的に示す。
【００２６】
基板２０は、コネクタ３１を介してノード＃Ａのシェルフまたはサブラックに嵌合接続される。また基板２０は、可動するイジェクタ３２を備える。イジェクタ３２はメンテナンスオペレータの手操作により、図の矢印方向に可動される。
【００２７】
点線で示されるように、例えばイジェクタ３２が押し込まれることによりロック機構などが作用して、基板２０がノードＡに位置固定される。逆に、実線で示されるように、イジェクタ３２が引き出されることによりロックが解除される。この状態から基板２０が引き出されることにより、コネクタ３１における嵌合が外れ、基板２０をノードＡから取り外すことができる。
【００２８】
ところで、基板２０は、イジェクタ３２の動きと連動するスイッチ３３を備える。スイッチ３３はトグルスイッチなどとして実現され、イジェクタ３２が押し込まれているか、あるいは引き出されているかに応じてオフまたはオンの２つの状態をとる。
【００２９】
スイッチ３３の状態は、内部バス３６を介して制御チップ３４により認識される。制御チップ３４は、イジェクタ３２が引き出され、スイッチ３３がオンとなった場合にはメモリ３５に記憶された基板ＩＤ３５ａを読み出し、この基板ＩＤ３５ａを含む通知信号ｃをノード＃Ａの主制御部７に通知する。これを受けて切替制御信号生成部７ａは、基板２０を流れるトラフィックを基板２１に切り替えるための切替制御信号ｂを生成し、この切替制御信号ｂを制御バスＣＢを介して切替スイッチに与える。
【００３０】
図４は、図２に示される状態から０系低速インタフェース基板２０を挿抜する際の処理手順を示すフローチャートである。図４において、基板２０をノード＃Ａから抜去する際には、イジェクタ３２が引き出される（ステップＳ４１）。そうすると、イジェクタ３２が引き出されることによりスイッチ３３がオンとなる。これにより切替制御信号生成部７ａに基板２０の基板ＩＤが通知され、基板２０を流れるトラフィックを基板２１側に切り替えるための切り替えコマンドと、装置内多重／分離部（すなわち０系多重／分離基板４０と１系多重／分離基板４１）における冗長切り替えを禁止し、これによりトラフィックの経路を固定するための固定コマンドとが生成される。これらのコマンドは、それぞれ制御対象となる切替スイッチに与えられる。これにより０系低速インタフェース基板２０を流れるトラフィックが１系低速インタフェース基板２１側に切り替えられるとともに、０系多重／分離基板４０を流れるこのトラフィックの経路が、０系多重／分離基板４０に固定される（ステップＳ４２）。
【００３１】
なお、トラフィック経路切り替えに係わる基板が属する機能ブロック以外の機能ブロックにおける切り替えを禁止するのは、基板の挿抜にあたり発生するノイズなどの影響により無用な切替制御が実施されることを防止するためである。ここでは、基板２０が属する低速インタフェース部以外の機能ブロック、すなわち高速インタフェース部と、装置内多重／分離部とにおける切り替え制御が禁止される。
【００３２】
この状態からノード＃Ａに別の、或いはメンテナンス済みの基板２０が挿入されると（ステップＳ４３）、当該基板のイジェクタ３２が固定位置に押し込まれる。そうすると、イジェクタ３２が押し込まれることによりスイッチ３３がオフとなる。これにより切替制御信号生成部７ａは、迂回中のトラフィックの経路を基板２０に切り戻させるための切り戻しコマンドと、装置内多重／分離部とにおける切り替え制御の禁止を解除するためのコマンドとを生成し、各コマンドをそれぞれ制御対象となる切替スイッチに与える。
【００３３】
そうすると、装置内多重／分離部における切り替え制御の禁止が解除されるとともに、１系基板２１を流れるトラフィックが０系基板２０側に切り戻される（ステップＳ４４）。このようにして、０系基板２０のメンテナンス作業が完了する。
【００３４】
図９は、比較のため従来のノード装置における基板メンテナンス時の処理手順を示すフローチャートである。図９において、オペレータは、保守端末を用いてマニュアルでコマンドを投入することにより、指定した０系基板を流れるトラフィックを１系基板２１に切り替える（ステップＳ１１）。次に、オペレータがマニュアルでコマンドを投入することにより、０系多重／分離基板４０を流れるトラフィックの経路が０系多重／分離基板４０に固定される（ステップＳ１２）。
【００３５】
この状態で０系基板２０が抜去されたのち、新たな０系基板２０がノード＃Ａに挿入される（ステップＳ１３，Ｓ１４）。そうして、オペレータは、迂回中のトラフィックの経路を基板２０に切り戻させるための切り戻しコマンドと、装置内多重／分離部とにおける切り替え制御の禁止を解除するためのコマンドとをマニュアルにて投入し、これにより装置内多重／分離部における切り替え制御の禁止が解除されるとともに、１系基板２１を流れるトラフィックが０系基板２０側に切り戻される（ステップＳ１５，Ｓ１６）。
【００３６】
図４における手順と図９における手順とを比較すると、従来ではマニュアルにて実施されていた手順（図９のステップＳ１１，Ｓ１２，Ｓ１５，Ｓ１６）が、図４では切替制御信号生成部７ａによりすべて自動的に実施される。しかも、基板を抜去または挿入することそれ自体をトリガとして、必要となるコマンドが自動的に生成される。これにより、オペレータは、ただ基板をノードから取り外そうとするだけで良く、トラフィックの迂回処理がマシン側で実施されるため、オペレータの手間を大幅に簡略化することができる。
【００３７】
図５は、図２の構成において、０系多重／分離基板４０を挿抜する際のトラフィック経路を示す図である。０系多重／分離基板４０も、図３の構成と同様、イジェクタ３２とスイッチ３３とを備える。０系多重／分離基板４０が抜去される前にはイジェクタ３２が引き出され、これにより０系多重／分離基板４０の基板ＩＤが主制御部７に通知される。そうして、０系多重／分離基板４０を流れるトラフィックが１系多重／分離基板４１側に切り替えられ、図５の太線矢印で示される経路となる。
【００３８】
図６は、図５に示されるトラフィック経路を実現するためのフローチャートである。図６において、０系多重／分離基板４０をノード＃Ａから抜去する際には、イジェクタ３２が引き出され（ステップＳ６１）、よってスイッチ３３がオンとなる。これにより切替制御信号生成部７ａに０系多重／分離基板４０の基板ＩＤ３５ａを含む通知信号ｃが通知され、０系多重／分離基板４０を流れるトラフィックを１系多重／分離基板４１側に切り替えるための切り替えコマンドが生成される。また、ＨＳインタフェース部およびＬＳインタフェース部における冗長切り替えを禁止し、これによりトラフィックの経路を固定するための固定コマンドが生成される。
【００３９】
これらのコマンドは、それぞれ装置内多重／分離部、ＨＳインタフェース部、およびＬＳインタフェース部に与えられ、これにより０系多重／分離基板４０を流れるトラフィックが１系多重／分離基板４１側に切り替えられるとともに、ＨＳインタフェース部およびＬＳインタフェース部において、それぞれを流れるトラフィックが固定される（ステップＳ６２）。
【００４０】
この状態からノード＃Ａに０系多重／分離基板４０が挿入されると（ステップＳ６３）、当該基板のイジェクタ３２が固定位置に押し込まれ、スイッチ３３がオフとなる。これにより切替制御信号生成部７ａは、迂回中のトラフィックの経路を０系多重／分離基板４０に切り戻させるための切り戻しコマンドと、ＨＳインタフェース部およびＬＳインタフェース部における切り替え制御の禁止を解除するためのコマンドとを生成し、各コマンドをそれぞれ制御対象に与える。
【００４１】
そうすると、１系多重／分離基板４１を流れるトラフィックが０系多重／分離基板４０側に切り戻されるとともに、ＨＳインタフェース部およびＬＳインタフェース部における切り替え制御の禁止が解除される（ステップＳ６４）。このようにして、０系多重／分離基板４０のメンテナンス作業が完了する。
【００４２】
図７は、図２の構成において、０系高速インタフェース基板５０を挿抜する際のトラフィック経路を示す図である。０系高速インタフェース基板５０も、図３の構成と同様、イジェクタ３２とスイッチ３３とを備える。０系高速インタフェース基板５０が抜去される前にはイジェクタ３２が引き出され、これにより０系高速インタフェース基板５０の基板ＩＤ３５ａを含む通知信号ｃが主制御部７に通知される。そうして、０系高速インタフェース基板５０を流れるトラフィックが１系高速インタフェース基板５１側に切り替えられ、図７の太線矢印で示される経路となる。
【００４３】
図８は、図７に示されるトラフィック経路を実現するためのフローチャートである。図８において、０系高速インタフェース基板５０をノード＃Ａから抜去する際には、イジェクタ３２が引き出され（ステップＳ８１）、よってスイッチ３３がオンとなる。これにより切替制御信号生成部７ａに０系高速インタフェース基板５０の基板ＩＤが通知され、０系高速インタフェース基板５０を流れるトラフィックを１系高速インタフェース基板５１側に切り替えるための切り替えコマンドが生成される。また、装置内多重／分離部における冗長切り替えを禁止しトラフィックの経路を固定するための固定コマンドが生成される。
【００４４】
これらのコマンドは、それぞれＨＳインタフェース部、装置内多重／分離部、およびＬＳインタフェース部に与えられ、これにより０系高速インタフェース基板５０を流れるトラフィックが１系高速インタフェース基板５１側に切り替えられるとともに、装置内多重／分離部において、それぞれを流れるトラフィックが固定される（ステップＳ８２）。
【００４５】
この状態からノード＃Ａに０系高速インタフェース基板５０が挿入されると（ステップＳ８３）、当該基板のイジェクタ３２が固定位置に押し込まれ、スイッチ３３がオフとなる。これにより切替制御信号生成部７ａは、迂回中のトラフィックの経路を０系高速インタフェース基板５０に切り戻させるための切り戻しコマンドと、装置内多重／分離部における切り替え制御の禁止を解除するためのコマンドとを生成し、各コマンドをそれぞれ制御対象に与える。
【００４６】
そうすると、１系高速インタフェース基板５１を流れるトラフィックが０系高速インタフェース基板５０側に切り戻されるとともに、装置内多重／分離部における切り替え制御の禁止が解除される（ステップＳ８４）。このようにして、０系高速インタフェース基板５０のメンテナンス作業が完了する。
【００４７】
以上のように本実施形態では、ノード＃Ａに挿抜可能に設けられる基板に、基板の挿抜に伴い稼動されるイジェクタ３２と、このイジェクタ３２に連動するスイッチ３３とを設ける。基板の抜去にあたりイジェクタ３２が引き出されるとスイッチ３３がオンされ、これに応じて基板ＩＤを含む通知信号をノード＃Ａの主制御部７に通知する。主制御部７は、切替制御信号生成部７ａにより、基板ＩＤの通知された０系基板２０が抜去される前にこの０系基板２０を流れるトラフィックを１系基板２１に迂回させるための切替制御信号ｂを自動的に生成し、これを高速インタフェース部、装置内多重／分離部と、および低速インタフェース部の各機能ブロックに与えるようにしている。
【００４８】
このようにすることで、基板のイジェクタの状態と連動して必要かつ適切な切替シーケンス手順が自動的に実施される。よって基板の抜去作業にあたり、従来はマニュアルにて実施されていたて手順が自動化され、オペレータの手間を大幅に省くことができる。また誤って意図しない基板が抜去されたとしても、この基板を流れるトラフィックは既に他の基板上に迂回させられている。したがってトラフィックへの悪影響を最小限に抑えることができる。
【００４９】
これらのことから、基板メンテナンスにおける作業手順を簡略化でき、これにより便宜を向上させるとともに作業ミスを防止し得るノード装置とその基板取扱方法を提供することができる。
【００５０】
なお、本発明は上記実施の形態に限定されるものではない。例えば本実施形態では、基板から通知される情報に少なくとも基板ＩＤを含ませるようにした。これに代えて、自己が抜去されるに当たり、ノード装置のどの部分を切り替えるべきかという切替情報をメモリ３５に予め記憶させておき、スイッチ３３がオンされた場合に、基板ＩＤとともに切替情報をノード装置に通知するようにしても良い。このようにすると、ノード装置の処理負担を軽減することができる。
【００５１】
このほか、基板上におけるスイッチがとり得る状態の数やスイッチ自体の構成など、本発明の要旨を逸脱しない範囲で種々の変形実施を行うことができる。
【００５２】
【発明の効果】
以上詳述したように本発明によれば、基板メンテナンスにおける作業手順を簡略化でき、これにより便宜を向上させるとともに作業ミスを防止し得るノード装置とその基板取扱方法を提供することができる。
【図面の簡単な説明】
【図１】  本発明に係わるノード装置が設置されるディジタル信号伝送システムの構成を示す図。
【図２】  図１に示されるノード＃Ａの主要部構成を示す機能ブロック図。
【図３】  図２に示されるノード＃Ａに挿抜可能に設けられる基板の構成を概略的にブロック図。
【図４】  図２に示される状態から０系低速インタフェース基板２０を挿抜する際の処理手順を示すフローチャート。
【図５】  図２の構成において、０系多重／分離基板４０を挿抜する際のトラフィック経路を示す図。
【図６】  図５に示されるトラフィック経路を実現するためのフローチャート。
【図７】  図２の構成において、０系高速インタフェース基板５０を挿抜する際のトラフィック経路を示す図。
【図８】  図７に示されるトラフィック経路を実現するためのフローチャート。
【図９】  比較のため従来のノード装置における基板メンテナンス時の処理手順を示すフローチャート。
【符号の説明】
ＳＬ…サービスライン
ＰＬ…プロテクションライン
Ｚ…低次群ライン
ＣＢ…制御バス
ＤＢ…データバス
＃Ａ〜＃Ｇ…ノード
２０，２２，〜，２ｎ−２，２ｎ…１系低速インタフェース基板
２１，２３，〜，２ｎ−３，２ｎ−１…０系低速インタフェース基板
７…主制御部
７ａ…切替制御信号生成部
１１〜１ｎ…下位装置
２００…監視制御装置
３１…コネクタ
３２…イジェクタ
３３…スイッチ
３４…制御チップ
３５…メモリ
３５ａ…基板ＩＤ
３６…内部バス
４０…０系多重／分離基板
４１…１系多重／分離基板
５０…０系高速インタフェース基板
５１…１系高速インタフェース基板
【図１】
0003696183.tif 000002
【図２】
0003696183.tif 000003
【図３】
0003696183.tif 000004
【図４】
0003696183.tif 000005
【図５】
0003696183.tif 000006
【図６】
0003696183.tif 000007
【図７】
0003696183.tif 000008
【図８】
0003696183.tif 000009
【図９】
0003696183.tif 000010